(57)【要約】【課題】  穴内に軸状部材をしっかりと固定することができ、その固定作業を容易に行えるようにすること。【解決手段】  ギター１０のボディ１２の外面側に形成された穴１２ＢにストラップＳＴの取付部材２０が設けられている。取付部材２０は、穴１２Ｂ内で接着剤Ｂを介して固定される軸状部材２１と、この軸状部材２１に連設されて穴１２Ｂの外側に位置する保持部２２とを備えて構成されている。軸状部材２１は、その先端部側に位置する第１の軸状部２４と、基部側に位置する第２の軸状部２５と、これら第１及び第２の軸状部２４，２５に形成された割り溝２６とにより構成されている。第１の軸状部２４は穴１２Ｂの内周面に接触する一方、第２の軸状部２５は穴１２Ｂの内周面との間に接着剤Ｂを収容する空間を形成する。穴１２Ｂ内に軸状部材２１を挿入したときに、第１の軸状部２４が割り溝２６の溝幅を狭めながら穴１２Ｂの内面形状に応じて変形する。【選択図】      図２
2006084504.tif 000002
【特許請求の範囲】
【請求項１】
楽器の外面側に所定のストラップを取り付けるための取付部材において、
前記楽器の外面側に形成された穴内に挿入され、当該穴内で接着剤を介して固定される軸状部材と、この軸状部材に連設されて前記穴の外側に位置するとともに、ストラップを保持する保持部とを備え、
前記軸状部材は、その先端部側に位置するとともに、穴の内周面に接触する第１の軸状部と、軸状部材の基部側に位置するとともに、穴の内周面との間に前記接着剤を収容する空間を形成する第２の軸状部と、第１及び第２の軸状部に形成された割り溝とを含み、
前記穴内に軸状部材を挿入したときに、前記第１の軸状部が割り溝の溝幅を狭めながら穴の内面形状に応じて変形可能に設けられていることを特徴とするストラップの取付部材。
【請求項２】
前記第１の軸状部は、略円柱若しくは略円筒状に形成された領域を有する一方、前記第２の軸状部は、第１の軸状部側に向かって次第に縮径するテーパ状に形成され、
前記第２の軸状部の最大直径は、第１の軸状部の直径と略同一若しくは若干小さく設定されていることを特徴とする請求項１記載のストラップの取付部材。
【請求項３】
前記第２の軸状部は、第１の軸状部側に向かって次第に縮径するテーパ状に形成され、
前記第２の軸状部の最大直径は、前記穴の直径と略同一若しくは若干小さく設定されていることを特徴とする請求項１記載のストラップの取付部材。
【発明の詳細な説明】
【技術分野】
【０００１】
本発明は、ストラップの取付部材に係り、更に詳しくは、楽器の外面側に形成された穴に簡単且つしっかりと取り付けることができるストラップの取付部材に関する。
【背景技術】
【０００２】
従来より、ギターを演奏する際に演奏者の肩に掛けられるストラップが広く利用されている。このストラップは、その一端側がギターのボディ後部に取付部材を介して取り付けられている（特許文献１参照）。このような取付部材５０としては、例えば、図５及び図６（Ａ）に示されるように、ギター５１におけるボディ５２の後面側（図中左面側）から突出するピン状のタイプのものが知られている。
同図において、取付部材５０は、前記ボディ５２に形成された穴５２Ａに挿入されるとともに、先端に向かうに従って先細となるテーパ状に形成された軸状部材５４と、この軸状部材５４に連なってボディ５２の外側に位置するとともに、図示しないストラップの一端側が引っ掛けられる周溝５５Ａを備えた保持部５５とにより構成されている。
【０００３】
【特許文献１】実開平１−５７７９７号公報
【発明の開示】
【発明が解決しようとする課題】
【０００４】
しかしながら、ギター５１のボディ５２にあっては、穴５２Ａの形成領域が木材により構成され、且つ、穴５２Ａの加工をドリルによって行う場合が多い。そのため、木材の木理方向や湿度の変化、ドリル刃の状態等の影響により穴５２Ａの径寸法に誤差が生じ、穴５２Ａの径寸法が小さい誤差になると、穴５２Ａ内に軸状部材５４が不完全に挿入された状態となる（図６（Ｂ）参照）。
しかも、軸状部材５４がテーパ状に形成されるため、穴５２Ａの内周面との接触領域が狭くなって取付部材５０の固定強度が低下し、ひいては、軸状部材５４が穴５２Ａから脱落する可能性が高くなる。その結果、ストラップを肩に掛けた状態で演奏している際中に、意図することなくギター５１が落下し、ボディ５２等を破損させてしまうという不都合も招来する。
ここで、取付部材５０の固定強度を高めるため、接着剤の使用量を多くすることも考えられるが、この場合、図６（Ｃ）に示されるように、接着剤Ｂがボディ５２の外面側にはみ出る傾向がある。従って、ボディ５２外面を汚損しないように前記はみ出しを回避しつつ取付部材２０を固定する煩雑な作業が要求されるという反射的不都合を招来する。
【０００５】
［発明の目的］
本発明は、このような不都合に着目して案出されたものであり、その目的は、穴内に軸状部材をしっかりと固定することができ、その固定作業も容易に行うことができるストラップの取付部材を提供することにある。
【課題を解決するための手段】
【０００６】
前記目的を達成するため、本発明は、楽器の外面側に所定のストラップを取り付けるための取付部材において、
前記楽器の外面側に形成された穴内に挿入され、当該穴内で接着剤を介して固定される軸状部材と、この軸状部材に連設されて前記穴の外側に位置するとともに、ストラップを保持する保持部とを備え、
前記軸状部材は、その先端部側に位置するとともに、穴の内周面に接触する第１の軸状部と、軸状部材の基部側に位置するとともに、穴の内周面との間に前記接着剤を収容する空間を形成する第２の軸状部と、第１及び第２の軸状部に形成された割り溝とを含み、
前記穴内に軸状部材を挿入したときに、前記第１の軸状部が割り溝の溝幅を狭めながら穴の内面形状に応じて変形可能に設けられる、という構成が採用されている。
【０００７】
本発明において、前記第１の軸状部は、略円柱若しくは略円筒状に形成された領域を有する一方、前記第２の軸状部は、第１の軸状部側に向かって次第に縮径するテーパ状に形成され、
前記第２の軸状部の最大直径は、第１の軸状部の直径と略同一若しくは若干小さく設定される、という構成を採ることが好ましい。
【０００８】
また、前記第２の軸状部は、第１の軸状部側に向かって次第に縮径するテーパ状に形成され、
前記第２の軸状部の最大直径は、前記穴の直径と略同一若しくは若干小さく設定される、という構成も好ましくは採用される。
【発明の効果】
【０００９】
本発明によれば、仮に、穴径が小さくなる誤差が生じても、軸状部材が穴内に不完全に挿入されることを防止することができる。これを更に詳述すると、穴内に軸状部材を挿入するときに、第２の軸状部の殆どの領域を穴の内周面と離れた状態としつつ、第１の軸状部が割り溝を介して穴の径方向に収縮変形して穴の内面に接し、軸状部材の全体を穴内に挿入することが可能となる。
また、第２の軸状部と穴の内周面との間の空間に接着剤が収容されるから、比較的少量の接着剤を穴の内周面に付けることで、前記空間内に接着剤を集中的に収容することができる。これにより、穴の外側への接着剤のはみ出しを抑制でき、取付部材の固定作業の容易化を図ることができる他、接着剤による接着力を発揮し易くなり、穴に対する軸状部材の固定強度を安定して得ることが可能となる。
【００１０】
更に、第２の軸状部の最大直径が第１の軸状部の直径又は穴の直径と略同一若しくは若干小さく設定されるので、穴の内周面に対し、第１の軸状部だけでなく第２の軸状部も部分的に接することとなる。これにより、接着剤の収容領域を確保しつつ、軸状部材の軸方向二箇所位置で穴の内周面に接することとなり、軸状部材の固定強度をより高めることが可能となる。しかも、第１の軸状部が略円柱若しくは略円筒状に形成する領域を含むので、穴の内周面と第１の軸状部の内面とが軸方向に一定の幅をもって略面接触することとなり、これによっても、固定強度を増大させることができる。従って、従来例のような軸状部材の脱落を防止して演奏中における楽器の損傷が回避される。
【００１１】
なお、本明細書及び特許請求の範囲において、「軸状部材」とは、中実となるものだけでなく、パイプ状等の中空形状も含む概念として用いる。
【発明を実施するための最良の形態】
【００１２】
以下、本発明の好ましい実施の形態について図面を参照しながら説明する。
【００１３】
図１には、実施形態に係る取付部材が適用されたギターの概略正面図が示されている。この図において、楽器としてのギター１０は、アコースティックタイプのものであり、主として、木材により構成されている。ギター１０は、複数の弦１１の一端側（図１中左端側）を支持するボディ１２と、このボディ１２に連結されるネック１３と、このネック１３の図１中右端側に設けられるとともに、弦１１の他端側（図１中右端側）を巻き付ける糸巻き１５Ａを含むボックス部１５とを備えて構成されている。ギター１０には、帯状に形成されて演奏者の肩に掛けられるストラップＳＴが取り付けられている。このストラップＳＴの図１中右端側は、ネック１３とボックス部１５との間に取り付けられている。一方、ストラップＳＴの同図中左端側は、ボディ１２の後面（同図中左面）から突出する取付部材２０を介して取り付けられている。
【００１４】
図１及び図２に示されるように、取付部材２０は、ボディ１２の後部に位置するブロック状部１２Ａに形成された穴１２Ｂに接着剤Ｂを介して固定される。ここで、ブロック状部１２Ａは、特に限定されるものでないが、本実施形態では、木質材等を用いて構成されている。また、穴１２Ｂは、ブロック状部１２Ａを図２中左右方向に貫通するように形成されるとともに、ドリル等によって形成された直径Ｄ０の丸穴とされ、径方向に沿う断面形状が穴１２Ｂの延出方向に沿って略一様となっている。
【００１５】
前記取付部材２０は、本実施形態では、ＡＢＳ等の樹脂材を用いた一体成形品により構成されている。取付部材２０は、図２及び図３に示されるように、前記穴１２Ｂ内に挿入されるとともに、穴１２Ｂ内で接着剤Ｂを介して固定される軸状部材２１と、この軸状部材２１に連設されて穴１２Ｂの外側に位置する保持部２２とを備えて構成されている。
【００１６】
前記軸状部材２１は、その先端部側（図２中右側）に位置する第１の軸状部２４と、基部側（同図中左側）に位置する第２の軸状部２５と、これら第１及び第２の軸状部２４，２５に形成された割り溝２６とにより構成されている。
【００１７】
前記第１の軸状部２４は、その軸方向両側にテーパ面部２８，２９を備えた略円柱に形成されている。第１の軸状部２４は、テーパ面部２８，２９の形成領域以外において、径方向に沿う断面形状が直径Ｄ１の略円形に設定されている。
【００１８】
前記第２の軸状部２５は、第１の軸状部２４と保持部２２との間に連設され、第１の軸状部２４側に向かって次第に縮径するテーパ状に形成されている。第２の軸状部２５は、保持部２２との連設位置が最大直径Ｄ２とされ、第１の軸状部２４との連設位置が最小直径Ｄ３とされる。
【００１９】
前記割り溝２６は、軸状部材２１の直径位置に延びる（図４参照）とともに、軸状部材２１の先端から基部に向かって軸方向（図２中右から左方向）に凹むように形成されている。割り溝２６の底部２６Ａは、第２の軸状部２５の領域内に位置する。これにより、第１の軸状部２５に縮径する方向の外力が付与されると、割り溝２６の溝幅が狭まるように第１の軸状部２５が全体的に弾性変形するようになっている。
【００２０】
前記保持部２２は、前記ストラップＳＴの端部領域を引っ掛け保持可能に設けられている。保持部２２は、ボディ１２の後面（図２中左面）に着座するとともに、第２の軸状部２５の最大直径Ｄ２より大きい径寸法を有する円盤状の着座部３１と、この着座部３１の同図中左側に連なって周方向に延びるとともに、ストラップＳＴの端部領域を受容する周溝部３２と、この周溝部３２の同図中左側に連なるとともに、着座部３１より大きい径寸法を有する円盤状のヘッド部３３とを備えて構成されている。
【００２１】
ここで、軸状部材２１のサイズについて更に詳述する。
第１の軸状部２４の直径Ｄ１は、穴１２Ｂの直径Ｄ０の約１００〜１０２．５％程とすることが望ましい。これにより、第１の軸状部２４が穴１２Ｂの内周面に略密着したり、弾性変形して圧接するようになり、穴１２Ｂ内で軸状部材２１が着実に固定可能となる。なお、本実施形態では、前記直径Ｄ１が約８．１ｍｍ、前記直径Ｄ０が約８．０ｍｍに設定されている。
第２の軸状部２５の最大直径Ｄ２は、穴１２Ｂの直径Ｄ０と略同一若しくは若干小さく設定するとよく、具体的には約９７〜１００％程とすることが望ましい。つまり、第２の軸状部２５の最大直径Ｄ２は、第１の軸状部２４の直径Ｄ１と略同一若しくは若干小さく設定することが望ましい。これにより、穴１２Ｂの開口側（図３中左側）と、第２の軸状部２５の最大直径Ｄ２の領域とが略接触するようになり、前記着座部３１をボディ１２の外面に確実に着座させつつ、軸状部材２１の軸線が傾くようにぐらつくことを回避することができる。
第２の軸状部２５の最小直径Ｄ３は、穴１２Ｂの直径Ｄ０の約８５〜９５％程とすることが望ましい。これにより、前記接着剤Ｂが穴１２Ｂの外側にはみ出さないように、第２の軸状部２５の周面と穴１２Ｂの内周面との間に接着剤Ｂを収容する空間が確保され、且つ、最小直径Ｄ３付近の強度を保つことができる。
割り溝２６の軸方向深さＬ１は、軸状部材２１の軸方向長さＬ２の約７０〜８５％程とすることが好ましく、第１の軸状部２４の軸方向長さＬ３は、割り溝２６の軸方向深さＬ１の約６０〜７５％程とすることが好ましい。これにより、前述のドリル等の加工により、穴１２Ｂの直径Ｄ０が小さくなる誤差、例えば、当該直径Ｄ０が第１の軸状部２４の直径Ｄ１より０．２ｍｍ程小さくなっても、軸状部材２１を穴１２Ｂ内に挿入可能となる。
【００２２】
以上の構成において、ボディ１２に取付部材２０を固定する場合、図２に示されるように、穴１２Ｂの内周面に接着剤Ｂを塗布した後、穴１２Ｂ内に軸状部材２１を挿入する。これにより、第１の軸状部２４が割り溝２６の溝幅を狭めながら穴１２Ｂの内面形状に応じて略縮径方向に弾性変形し、第１の軸状部２４の周面が穴１２Ｂの内周面に略面接触する。
この状態で、第１の軸状部２４と穴１２Ｂの内周面との摩擦抵抗に抗して、穴１２Ｂ内に軸状部材２１を更に挿入すると、図３に示されるように、穴１２Ｂの内周面における開口側（同図中左側）と、第２の軸状部２５の最大直径Ｄ２の領域（同図中左側）とが略接触する。また、第２の軸状部２５と穴１２Ｂの内周面との間の空間に接着剤Ｂが収容されるとともに、保持部２２の着座部３１がボディ１２の後面に着座する。
この状態のまま、所定時間放置することにより接着剤Ｂが固形化されて取付部材２０が穴１２Ｂに固定される。
【００２３】
従って、このような実施形態によれば、割り溝２６の底部２６Ａが第２の軸状部２５の領域内に位置するので、穴１２Ｂ内において第１の軸状部２４が先端側だけでなく基部側も含めて全体的に収縮するように変形する。しかも、第２の軸状部２５を前述したようなテーパ状としたから、穴１２Ｂ内への挿入中に第２の軸状部２５と穴１２Ｂの内周面との接触が抑制され、これらの摩擦抵抗を少なくすることができる。これにより、穴１２Ｂの直径Ｄ０が小さくなる誤差が生じても、穴１２Ｂ内に軸状部材２１が完全に収まるように、容易且つスムースに軸状部材２１を挿入することが可能となる。
【００２４】
また、第２の軸状部２５と穴１２Ｂの内周面との間の空間に接着剤Ｂが集中的に収容されるので、接着剤Ｂの使用量を少量としても接着力を確保可能となり、接着剤Ｂが穴１２Ｂの外側にはみ出すことを抑制して取付部材２０の固定を容易に行うことができる。更に、第１の軸状部２４の周面だけでなく、第２の軸状部２５の図３中左側領域も穴１２Ｂの内周面に略接触するので、軸状部材２１が軸方向に離れた二箇所位置で穴１２Ｂの内周面に接し、穴１２Ｂに安定して支持されることとなる。これにより、ギター１０の演奏中における取付部材２０の不用意な脱落を防止してボディ１２等の破損を回避することが可能となる。
【００２５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置、材質若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、前記図示構成例において、第１の軸状部２４を中実となる略円柱状としたが、略同様の外観形状を呈する中空となる略円筒状としてもよい。
前記取付部材２０の材質は、割り溝２６の溝幅が狭まる変形を許容する限りにおいて、木質材や金属等に変更してもよい。
また、本発明が適用される楽器は、アコースティックギターはもちろんのこと、電気音を再生可能な弦楽器の他、ストラップが取り付けられる管楽器や打楽器等の弦楽器以外の楽器であってもよい。
【産業上の利用可能性】
【００２７】
本発明は、演奏の際にストラップを用いる楽器に利用される。
【図面の簡単な説明】
【００２８】
【図１】実施形態に係る取付部材が適用されるギターの正面図。
【図２】図３の分解図。
【図３】図１の要部を拡大した正面断面図。
【図４】取付部材の右側面図。
【図５】従来例に係る取付部材を示す図２と同様の分解図。
【図６】（Ａ）は、従来例に係る取付部材を示す図３と同様の断面図、（Ｂ）及び（Ｃ）は、従来例の取付部材の取り付け状態を示す説明図。
【符号の説明】
【００２９】
１０・・・ギター（楽器）、１２・・・ボディ、１２Ｂ・・・穴、２０・・・取付部材、２１・・・軸状部材、２２・・・保持部、２４・・・第１の軸状部、２５・・・第２の軸状部、２６・・・割り溝、Ｂ・・・接着剤、ＳＴ・・・ストラップ
【図１】
2006084504.tif 000003
【図２】
2006084504.tif 000004
【図３】
2006084504.tif 000005
【図４】
2006084504.tif 000006
【図５】
2006084504.tif 000007
【図６】
2006084504.tif 000008